(57)【特許請求の範囲】
【請求項１】
前軸と後軸とを相対的に回転可能に連設した軸筒に、筆記体を摺動可能に保持する複数の摺動溝を設けた摺動ケースと、前記後軸を前軸に対して回転することで前記摺動ケースの外周面上を回転可能なカム部を設けたカム筒とを有し、前記摺動溝に、カム係止突起を有する摺動体が装着された筆記体を、バネにより前記軸筒の先端開口部と反対側の後方に付勢して配し、前記カム係止突起を前記カム部に形成した傾斜面を有したカム斜面に当接して、前記カム部の回転に伴い前記カム係止突起が前記カム斜面に沿って移動することで前記摺動体および筆記体が前後動し、前記筆記体の筆記先端部を前記軸筒の先端開口部より出没してなる構造の回転繰出式の多芯筆記具において、前記摺動ケースの後方に小径部を形成し該小径部の後方に鍔部を形成すると共に該鍔部の前面に複数の凹部を放射状に形成し、前記カム部を形成したカム筒の内面に複数の内向突起を放射状に形成し、前記カム筒の少なくとも一つの内向突起の周辺にスリットを設けて舌片状の弾性変形部を形成して該内向突起を当該弾性変形部に位置させることにより、前記摺動ケースの鍔部を前記カム筒の内向突起の前側から乗り越えるよう圧入して該摺動ケースと該カム筒とを装着する際に、前記カム筒の弾性変形部が外方へ弾性変形して装着され、前記カム筒に前記摺動ケースを装着した状態で前記後軸に当該カム筒を挿着することにより、前記カム筒の弾性変形部の外方への弾性変形を規制し、前記摺動ケースに対し前記カム筒を回転させ前記筆記体の筆記先端部を前記軸筒の先端開口部に没入させた状態で、前記摺動ケースの鍔部の前面に形成した凹部に前記カム筒の内向突起が係止する構造の回転繰出式の多芯筆記具。
【発明の詳細な説明】
【技術分野】
【０００１】
本発明は、回転操作体を回転することにより、軸筒内に収容した筆記体の筆記先端部を軸筒の先端開口部から出没可能とした回転繰出式の多芯筆記具に関する。
【背景技術】
【０００２】
従来より、軸筒内に、筆記体を摺動可能に保持する複数の摺動溝を有した摺動ケースと、回転操作体を回転することで摺動ケースの外周面上を回転可能なカム部とを設け、摺動溝に、カム係止突起を有した摺動体を装着した筆記体を、バネにより軸筒の先端開口部と反対側の後方に付勢して配し、カム部に形成したカム傾斜にカム係止突起を当接させて、カム部の回転に伴いカム係止突起がカム斜面に沿って移動することで摺動体および筆記体が前後動し、筆記体の筆記先端部を軸筒の先端開口部より出没してなる回転繰出式の多芯筆記具はよく知られている。
【０００３】
こうした回転繰出式の多芯筆記具では、一般的に、軸筒を前軸と回転操作体としての後軸とで構成し、後軸を前軸に対して回転することでカム部を回転させ、筆記体の後端部に装着した摺動体のカム係止突起をカム部のカム斜面に沿って前進させることで摺動体および筆記体を軸筒の先端開口部側に前進させ、前進したカム係止突起をカム部のカム斜面の先端に形成した凹溝に係止することで、筆記体の筆記先端部が軸筒の先端開口部より突出した状態を維持できる構造としてある。
【０００４】
尚、筆記体の筆記先端部が軸筒の先端開口部より突出した状態から、全ての筆記体の筆記先端部を軸筒の先端開口部へ没入した状態にする際には、前記カム部の凹溝にバネで後方へ弾発されているカム係止突起の係止を解除させるために、前軸に対して後軸を大きな回転トルクで回転操作する必要があり、その結果、回転し過ぎて隣の筆記体の筆記先端部が軸筒の先端開口部から突出しまうことが間々ある。
【０００５】
前記問題を解消する技術として、全ての筆記体の筆記先端部を軸筒内へ没入させる時に、筆記体の不用意な軸心方向への移動を規制するために、カム部のカム斜面の所定位置に筆記部材（筆記体）の先端が筆記具本体（軸筒）内に収まる位置に中間係止部を設けた技術が、特許文献１（実開昭５９−１２４１８９号公報）で開示されている。前記前項文献１に開示されているようにカム部に中間係止部を設けることで、筆記体の筆記先端部を軸筒の先端開口部へ突出させた状態から、全ての筆記体の筆記先端部を軸筒の先端開口部より没入した状態にする際において、各摺動体のカム係止突起がカム部のカム斜面に設けた中間係止部に係止するので係止感があり、回転操作体を回転し過ぎることがないように注意することができる。
【０００６】
しかし、特許文献１の技術では、カム係止突起が確実に係止できるような中間係止部の形状にすると、軸筒内に収容した筆記体の筆記先端部を軸筒の先端開口部に没入した状態、すなわち摺動体のカム係止突起が前記中間係止部に係止した状態から、筆記先端部を軸筒の先端開口部より突出させる際に、前記カム部の中間係止部からカム係止突起を離脱させるために、前軸に対して後軸を大きな回転トルクで回転操作する必要があり、その結果、筆記体の筆記先端部を軸筒の先端開口部より突出した状態に維持するためのカム係止突起がカム部のカム斜面の先端の頂部に形成した凹溝を乗り越えてしまうという問題が生じてしまう。尚、カム係止突起の係止力が大きくならないような中間係止部の形状にした場合には、今度はカム係止突起の中間係止部への係止の確実性が低下して、全ての筆記体の筆記先端部を軸筒の先端開口部より没入した状態にする際に問題が生じてしまうことから、カム斜面に形成する中間係止部の形状設定に煩わしさがある。
【先行技術文献】
【特許文献】
【０００７】
【特許文献１】実開昭５９−１２４１８９号公報
【発明の開示】
【発明が解決しようとする課題】
【０００８】
本発明の目的は、軸筒内に、筆記体を摺動可能に保持する摺動溝を有した摺動ケースと、後軸を回転することで摺動ケースの外周面上を回転可能なカム部とを有し、摺動溝に、カム係止突起を有する摺動体を装着した筆記体を、バネにより軸筒の先端開口部と反対側である後方に付勢して配し、カム係止突起をカム部に形成したカム斜面に当接させて、カム部の回転に伴いカム係止突起がカム斜面に沿って移動することで摺動体および筆記体が前後動し、筆記体の筆記先端部を軸筒の先端開口部より出没してなる回転繰出式の多芯筆記具において、軸筒内に収容した全ての筆記体の筆記先端部を軸筒の先端開口部に没入させる際に、軸筒の先端開口部から筆記体の筆記先端部の突出を防止できる回転繰出式の多芯筆記具を簡単な構造で得ることにある。
【課題を解決するための手段】
【０００９】
本発明は、
「前軸と後軸とを相対的に回転可能に連設した軸筒に、筆記体を摺動可能に保持する複数の摺動溝を設けた摺動ケースと、前記後軸を前軸に対して回転することで前記摺動ケースの外周面上を回転可能なカム部を設けたカム筒とを有し、前記摺動溝に、カム係止突起を有する摺動体が装着された筆記体を、バネにより前記軸筒の先端開口部と反対側の後方に付勢して配し、前記カム係止突起を前記カム部に形成した傾斜面を有したカム斜面に当接して、前記カム部の回転に伴い前記カム係止突起が前記カム斜面に沿って移動することで前記摺動体および筆記体が前後動し、前記筆記体の筆記先端部を前記軸筒の先端開口部より出没してなる構造の回転繰出式の多芯筆記具において、前記摺動ケースの後方に小径部を形成し該小径部の後方に鍔部を形成すると共に該鍔部の前面に複数の凹部を放射状に形成し、前記カム部を形成したカム筒の内面に複数の内向突起を放射状に形成し、前記カム筒の少なくとも一つの内向突起の周辺にスリットを設けて舌片状の弾性変形部を形成して該内向突起を当該弾性変形部に位置させることにより、前記摺動ケースの鍔部を前記カム筒の内向突起の前側から乗り越えるよう圧入して該摺動ケースと該カム筒とを装着する際に、前記カム筒の弾性変形部が外方へ弾性変形して装着され、前記カム筒に前記摺動ケースを装着した状態で前記後軸に当該カム筒を挿着することにより、前記カム筒の弾性変形部の外方への弾性変形を規制し、前記摺動ケースに対し前記カム筒を回転させ前記筆記体の筆記先端部を前記軸筒の先端開口部に没入させた状態で、前記摺動ケースの鍔部の前面に形成した凹部に前記カム筒の内向突起が係止する構造の回転繰出式の多芯筆記具。」である。
【００１０】
本発明では、後軸を前軸に対して回転させ、後軸に連動したカム筒の回転によって筆記体の筆記先端部を軸筒の先端開口部に没入させる際に、摺動ケースの鍔部に形成した凹部にカム筒の内面に形成した内向突起が係止する時の感触を使用者が認識できるように、回転操作に伴いカム筒の内向突起が摺動ケースの凹部に上下動して係止と解除を行う構造とする。また、各筆記体の筆記先端部を軸筒の先端開口部に没入させる際に、いずれにおいても摺動ケースの鍔部に形成した凹部にカム筒の内面に形成した内向突起が係止できるように、摺動ケースの凹部とカム筒の内向突起を形成することが肝要である。
【００１１】
また、弾性変形部の肉厚を薄く形成することで弾性変形部の外方への弾性変形が行いやすくなり、この場合には弾性変形部の外面に突起部を設け、カム筒を挿着する後軸の内面に対して突起部を当接させ、後軸にカム筒を挿着した状態における弾性変形部の外方への弾性変形を規制して、カム筒の内向突起を乗り越えた摺動ケースの鍔部の抜け落ちを防止することができる。尚、本発明では、カム筒の内面に設ける内向突起が、例えば放射状に３つあるいは４つの場合には、少なくとも一つの内向突起を弾性変形部に位置させればよく、内向突起が５つあるいは６つの場合には隣り合う少なくとも二つの内向突起を弾性変形部に位置させればよく、摺動ケースの鍔部が内向突起を乗り越える際に、鍔部が径方向にスライドできるようにすることが肝要である。
【発明の効果】
【００１２】
本発明の回転繰出式の多芯筆記具は前記したような構造なので、筆記体の筆記先端部を軸筒の先端開口部へ没入させる際に、摺動ケースの鍔部に形成した凹部にカム筒の内面に形成した内向突起が係止することで、筆記体の筆記先端部が軸筒の先端開口部に没入した状態を使用者が感覚的に認識することができるので、後軸を回転し過ぎることなく、筆記体の筆記先端部を軸筒の先端開口部へ没入した状態にすることができ、またカム部のカム斜面や摺動体のカム係止突起を特種な形状にする必要がないため、筆記先端部の出没における通常の回転操作には支障が生じず、またカム斜面の形状の設定に煩わしさが生じることがない。また、摺動ケースに形成した鍔部が乗り越えることで、カム筒から摺動ケースを抜け止め状態とするカム筒の内面に形成した内向突起のが、鍔部が内向突起を乗り越える際に弾性変形部が変形して外方へ逃げる構造としたので、組立作業が行いやすく、摺動ケースの鍔部が乗り越える時にカム筒の内向突起が擦れて削れることを防ぐこともできるので、使用時における摺動ケースの鍔部の凹部とカム筒の内向突起との係止を滑らかにすることが可能となり、後軸にカム筒を挿着した状態では、後軸の内面が内向突起を有した弾性変形部の変形を規制することから、カム筒から摺動ケースが抜け落ちることを防止できる。
【図面の簡単な説明】
【００１３】
【図１】図１は、本実施例の回転繰出式の多芯筆記具における断面図である。
【図２】図２は、図１の要部拡大図である。
【図３】図３は、図１のＡ−Ａ線端面図である。
【図４】図４は、図１の一部を分解した状態を示す図である。
【図５】図５は、回転操作している状態の図である。
【図６】図６は、本実施例における組立てている途中状態を示す図である。
【発明を実施するための形態】
【００１４】
次に、図面を用いて本発明の実施例について説明を行う。
【実施例】
【００１５】
本発明の実施例を図面を用いて説明する。実施例において同じ部材、同じ箇所を示す場合は同じ符号を付してある。本実施では、筆記先端がある方を前方と表現し、その反対側を後方と表現する。図１に示すように、本実施例の多芯筆記具１は、前部軸筒部材２の前方に先口３を配した前軸４と、後部軸筒部材５の後方に尾冠６を配した後軸７とを相対的に回転可能に連設した軸筒８の内部に、ボールペン体９とシャープペンシル体１０とを保持する複数の摺動溝１１ａを設けた摺動ケース１１と、後軸７を前軸４に対して回動することで摺動ケース１１の外周面上を回転可能なカム部１２ａを設けたカム筒１２とを有し、摺動溝１１ａに、カム係止突起１３ａを有する摺動体１３が装着されたボールペン体９を、コイルスプリング１４ａにより軸筒８の先端開口部８ａと反対側の後方へ付勢して配し、他の摺動溝に、カム係止突起１５ａを有する摺動体１５が装着されたシャープペンシル体１０を、コイルスプリング１４ｂにより軸筒８の先端開口部８ａと反対側の後方へ付勢して配している。尚、図示しないが軸筒８の内部には、ボールペン体９と異なる筆記色である第二のボールペン体を収容してある。
【００１６】
図１〜図３に示すようにカム筒１２は、カム部１２ａのカム斜面１２ｂの先端に凹溝１２ｃを形成してあり、摺動体１３のカム係止突起１３ａまたは摺動体１５のカム係止突起１５ａをカム斜面１２ｂに当接して、カム筒１２の回転に伴い、カム係止突起１３ａ，１５ａがカム斜面１２ｂに沿って移動することで、摺動体１３を装着したボールペン体９の筆記先端部９ａまたは摺動体１５を装着したシャープペンシル体１０の筆記先端部１０ａの筆記先端部１０ａを、軸筒８の先端開口部８ａから出没できるようにしてあり、カム部１２ａの凹溝１２ｃに摺動体１３のカム係止突起１３ａまたは摺動体１５のカム係止突起１５ａを係止させることで、コイルスプリング１４ａ，１４ｂを圧縮しながら、ボールペン体９の筆記先端部９ａまたはシャープペンシル体１０の筆記先端部１０ａを、軸筒８の先端開口部８ａから突出した状態を維持させることができる。
【００１７】
本実施例では、カム筒１２の後部へ形成した雌螺子部１２ｄに連結部材１６の前部へ形成した前方雄螺子部１６ａを螺着し、連結部材１６の後部へ形成した後方雄螺子部１６ｂに尾冠６の前部へ形成した前方雌螺子部６ａを螺着してある。連結部材１６の中間部外周にはフランジ１６ｃを形成してあり、カム筒１２の雌螺子部１２ｄと連結部材１６の前方雄螺子部１６ａを螺合する際に、後部軸筒部材５に形成した内向きの鍔部５ａを挟持させて、後部軸筒部材５とカム筒１２とを一体にして、後部軸筒部材５を回転操作体として回転操作することでカム筒１２が連動して回転する構造とした。摺動ケース１１とカム筒１２とは、摺動ケース１１の上方に設けた小径部１１ｂの後方に鍔部１１ｃを形成し、鍔部１１ｃがカム筒１２の内面に１２０度毎の放射状に形成した３個の第一の内向突起１２ｅと第二の内向突起１２ｆと第三の内向突起１２ｇ（図３参照）とを乗り越えるように圧入して、図１に示すように摺動ケース１１の小径部１１ｂにカム筒１２の各内向突起を位置させ、カム筒１２に対し摺動ケース１１を回転可能な抜け止め状態としてある。また図２に示すように、摺動ケース１１の鍔部１１ｃの前面には６０度毎に放射状に形成した６個の凹部１１ｄ，１１ｅ，１１ｆ，１１ｇ，１１ｈ，１１ｉを設けてあり、カム筒１２の内向突起１２ｅ，１２ｆ，１２ｇが１個ずつ間隔をあけて凹部１１ｄ，１１ｆ，１１ｈに係止した状態になっている。図２および図２のＡ−Ａ線端面図である図３で示すように、本実施例のカム筒１２は、内向突起１２ｅの前方および側方にスリット１２ｈを設けることで、舌片状の弾性変形部１２ｉを形成し、詳細は後述するが組立てを行いやすくしてある。尚、本実施例では図２に示すように、弾性変形部１２ｉの部分を薄肉に成形してあるが、外方に突出する膨出部１２ｊを形成して、膨出部１２ｊが後部軸筒部材５の内面に当接するようにして、弾性変形部１２ｉの外方への変形を規制し、カム筒１２の内向突起１２ｅ，１２ｆ，１２ｇに引っ掛かった摺動ケース１１の鍔部１１ｃが抜けないようにしてある。
【００１８】
本実施例では、カム筒１２の内面に設けた第一の内向突起１２ｅの前方に、図１や図２に示すカム斜面１２ｂの先端に設けた凹溝１２ｃを位置させていることから、内向突起１２ｅ，１２ｆ，１２ｇが凹部１１ｄ，１１ｆ，１１ｈに係止した状態では、ボールペン体９やシャープペンシル体１０あるいは第二のボールペン体のいずれかの筆記先端部を、軸筒８の先端開口部８ａから突出した状態に維持させて筆記を行うことができる。また、後軸７を前軸４に対して回転操作し、内向突起１２ｅ，１２ｆ，１２ｇを凹部１１ｅ，１１ｇ，１１ｉに係止させた状態では、ボールペン体９やシャープペンシル体１０および第二のボールペン体のいずれの筆記先端部も、軸筒８の先端開口部８ａへ没入した状態となる。この時、いずれかの筆記体の筆記先端部が軸筒８の先端開口部８ａから突出した状態、つまり内向突起１２ｅ，１２ｆ，１２ｇを、凹部１１ｄ，１１ｆ，１１ｈに係止した状態から、凹部１１ｄ，１１ｆ，１１ｈからいったん外して摺動ケース１１の鍔部１１ｃの前端面１１ｊに当接させた状態とし（図５参照）、次いで内向突起１２ｅ，１２ｆ，１２ｇが、前記凹部１１ｄ，１１ｆ，１１ｈの隣に位置する１１ｅ，１１ｇ，１１ｉに係止する際の落差により、使用者は感覚的に全ての筆記体が軸筒８の先端開口部８ａに没入した状態となったことを認識することができ、前軸４に対し後軸７を回し過ぎて、隣の筆記体の筆記先端部が軸筒８の先端開口部８ａから突出してしまうことがなかった。
【００１９】
次に、本実施例の多芯筆記具における組立ての一部について説明を行う。図６に示すように摺動ケース１１は、カム筒１２の前方より、鍔部１１ｃが内向突起１２ｅ，１２ｆ，１２ｇを乗り越えさせて、カム筒１２から摺動ケース１１を抜け止め状態にする際に、内向突起１２ｅが位置する弾性変形部１２ｉが外方に逃げるので、組立作業が行いやすく、また、摺動ケース１１の鍔部１１ｃがカム筒１２の内向突起１２ｅ，１２ｆ，１２ｇを乗り越える時に、カム筒１２の内向突起１２ｅ，１２ｆ，１２ｇが擦れて削れてしまうことを防ぐことができた。
【産業上の利用可能性】
【００２０】
回転繰出式の多芯筆記具において、軸筒内に収容した全ての筆記体の筆記先端部を軸筒の先端開口部に没入させる際に、軸筒の先端開口部から筆記体の筆記先端部の不用意な突出を防ぎたい場合に採用することができ、特に軸筒の軸径が小さく、カム筒の内側に挿通させる摺動ケース側に細工がし難い構造の多芯筆記具に適している。
【符号の説明】
【００２１】
１…多芯筆記具、２…前部軸筒部材、３…先口、４…前軸、
５…後部軸筒部材、５ａ…内向きの鍔部、
６…尾冠、６ａ…前方雌螺子部、
７…後軸、８…軸筒、８ａ…先端開口部、
９…ボールペン体、９ａ…筆記先端部、
１０…シャープペンシル体、１０ａ…筆記先端部、
１１…摺動ケース、１１ａ…摺動溝、１１ｂ…小径部、１１ｃ…鍔部、
１１ｄ，１１ｅ，１１ｆ，１１ｇ，１１ｈ，１１ｉ…凹部、
１２…カム筒、１２ａ…カム部、１２ｂ…カム斜面、１２ｃ…凹溝、１２ｄ…雌螺子部、
１２ｅ，１２ｆ，１２ｇ…内向突起、
１２ｈ…スリット、１２ｉ…弾性変形部、１２ｊ…膨出部、
１３…摺動体、１３ａ…カム係止突起、
１４…コイルスプリング、
１５…摺動体、１５ａ…カム係止突起、
１６…連結部材、１６ａ…前方雄螺子部、１６ｂ…後方雄螺子部、１６ｃ…フランジ。
【図１】
0005666371.tif 000002
【図２】
0005666371.tif 000003
【図３】
0005666371.tif 000004
【図４】
0005666371.tif 000005
【図５】
0005666371.tif 000006
【図６】
0005666371.tif 000007